(57)【要約】      （修正有）【課題】洗濯物を保管しておくトラベルポーチに関し、洗濯ものを分類して保管でき、分類ごとに一括して洗濯でき、保管中に発生する悪臭を抑制し、旅行バッグに効率的に収納できるトラベルポーチセットを提供する。【解決手段】洗濯物を収納するトラベルポーチであって、該トラベルポーチは洗濯物を収納する内袋と、該内袋を収納する外袋からなり、該内袋が透水性のある生地からなり、該外袋を構成する生地の少なくとも内面の一部または全部が抗菌及び／または消臭性能を有する生地ｄからなることを特徴とする、トラベルポーチである。また、前記抗菌および消臭性能を有する生地ｄは不織布であってもよい。さらに、前記トラベルポーチの最大面の形状が縦：横＝１：√２（長さ比）の長方形であるトラベルポーチが２個以上からなるトラベルポーチセットであって、面積の大きいトラベルポーチが最も小さいトラベルポーチの面積の２の累乗数倍であるトラベルポーチセットである。【選択図】図３
0003208888.tif 000002
【実用新案登録請求の範囲】
【請求項１】
洗濯物を収納するトラベルポーチであって、該トラベルポーチは洗濯物を収納する内袋と、該内袋を収納する外袋からなり、該内袋が透水性のある生地からなり、該外袋を構成する生地の少なくとも内面の一部または全部が抗菌及び／または消臭性能を有する生地からなることを特徴とする、トラベルポーチ。
【請求項２】
前記抗菌および消臭性能を有する生地が不織布である、請求項１に記載のトラベルポーチ。
【請求項３】
前記トラベルポーチの最大面の形状が縦：横＝１：√２（長さ比）の長方形である請求項１または２記載のトラベルポーチ。
【請求項４】
請求項３記載のトラベルポーチが２個以上からなるトラベルポーチセット。
【請求項５】
面積の大きいトラベルポーチが最も小さいトラベルポーチの面積の２の累乗数倍であることを特徴とする、請求項４記載のトラベルポーチセット。
【考案の詳細な説明】
【技術分野】
【０００１】
本考案は、洗濯物を保管しておくトラベルポーチに関し、汚れた洗濯物を分類して保管し、分類ごとに一括して洗濯でき、保管している間の臭気の発生を抑え、さらに旅行カバンに効率よく収納できる利便性のよいトラベルポーチセットに関するものである。
【背景技術】
【０００２】
洗濯物をネット状の透水性のよい生地からなる袋、いわゆる洗濯ネットに収納してそのまま洗濯する手法は広く用いられており、各種の洗濯ネットが販売されている。この洗濯ネットは柔軟であり単独では形態保持性に欠けるため、これを収納した２重袋とする工夫もなされている。（特許文献１）さらに、洗濯物を種類別に仕分けるため、複数の洗濯ネットを収容できるランドリーバッグ（特許文献２）や、ランドリーバッグの一部に洗濯ネットを取り付けて仕分けできるようにしたもの（特許文献３）も提案されている。旅行先で発生する洗濯物についても、まとめて袋に入れてしまうと洗濯後の仕分けに手間がかかるが、種類別に仕分けるトラベルポーチは提案されていない。また洗濯物には通常皮脂や汗が付着しており、洗濯に供されるまでの収納時間中に雑菌の繁殖による臭気が発生することがある課題もあった。
【先行技術文献】
【特許文献】
【０００３】
【特許文献１】実開平３−５１０１６
【特許文献２】特開平８−３８７８６
【特許文献３】特開平９−２４９１
【考案の概要】
【考案が解決しようとする課題】
【０００４】
本考案は、洗濯物を保管しておくトラベルポーチに関し、洗濯ものを分類して保管でき、分類ごとに一括して洗濯でき、保管中に発生する悪臭を抑制し、旅行バッグに効率的に収納できるトラベルポーチおよびトラベルポーチセットを提案することを目的とする。
【課題を解決するための手段】
【０００５】
上記目的を達成するために検討した結果、以下のトラベルポーチおよびトラベルポーチセットの発案に至ることができた。すなわち、本考案は、洗濯物を収納するトラベルポーチであって、該トラベルポーチは洗濯物を収納する内袋と、該内袋を収納する外袋からなり、該内袋が透水性のある生地からなり、該外袋を構成する生地の少なくとも内面の一部または全部が抗菌及び／または消臭性能を有する生地からなることを特徴とする、トラベルポーチである。また、前記抗菌及び／又は消臭性能を有する生地は不織布であってもよく、前記トラベルポーチの最大面の形状が縦：横＝１：√２（長さ比）の長方形であってもよい。
【０００６】
さらに、本考案は、前記トラベルポーチが２個以上からなるトラベルポーチセットであって、面積の大きいトラベルポーチが最も小さいトラベルポーチの面積の２の累乗数倍であるトラベルポーチセットである。
【考案の効果】
【０００７】
本考案のトラベルポーチは、洗濯物を直接保管するメッシュ生地からなる内袋と、これを支える外袋からなる２重袋であり、内袋、外袋ともにファスナーで開口／閉鎖できるようになっている。洗濯する際には、外袋から内袋を取り出し、内袋をそのまま洗濯に供することができる。
外袋を構成する生地の内側の少なくとも一部に、消臭及び／または抗菌性能を有する生地を配置することができる。これにより、洗濯に供されるまでの収納時間中の雑菌の繁殖を抑制し、消臭することができ、洗濯時に内袋を取り出す際に不快感を覚えることなく、さわやかに洗濯を行うことができる。消臭・抗菌性能を有する生地の種類は特に限定されないが、例えば銀系の抗菌剤を練り込んだポリプロピレン製のスパンボンド不織布にて、JIS L1902菌液吸収法での試験方法にて、黄色ブドウ球菌の抗菌活性値2.2以上を示すものを、抗菌性能を有する生地として用いることもできる。また、例えば両性物質を含む消臭剤を練り込んだポリプロピレン製のスパンボンド不織布にて、繊維評価技術協議会の定める消臭試験方法のガスクロマトグラフ法でアンモニア・酢酸・硫化水素につき有効と認定されるものを、消臭性能を有する生地として用いることもできる。
この消臭・抗菌性能を有する生地を別の生地と組み合わせて、外袋の内面に配置することにより、効率的に抗菌効果・消臭効果を発揮することができる。外袋の外面の生地は特に限定されず、各種の色やデザインがほどこされていてもよい。外袋には、持ち運びしやすいように、取っ手がついていてもよい。
さらに、外袋は旅行バックに効率的に収納できる機能を付与するため、立方体形状であって、その最大面の形状が縦：横＝１：√２（長さ比）の長方形であることを特徴とするトラベルポーチである。
さらに本提案は、前記形状を有するトラベルポーチが２個以上からなるトラベルポーチセットであって、面積の大きいトラベルポーチの最大面の表面積が最も小さいポーチの２倍、４倍またはそれ以上の２の累乗数倍であり、各々のサイズのポーチの最大面の形状は相似形となっていることが特徴である。大きいポーチをＬ、中くらいのポーチをＳ、小さいポーチをＳＳとすると、図４のようにＬとＳを組み合わせることができ、さらに図５のようにＬとＳとＳＳとを組み合わせることもでき、さらに図６のようにＬとＳＳとを組み合わせることもできる。いずれも全体を１：√２の長方形であるため、効率的にトラベルポーチセットとして旅行バック等に収納することができる。なお、外袋の形状の１：√２の比率は、トラベルポーチをセットした際にトラベルポーチ間で１ｃｍ以下の隙間ができる程度で、比率を変更してもよい。また、本考案のトラベルポーチは、旅行バック等に効率的に収納できる機能を損なわない限り、長方形の角が丸みをおびていてもよい。
【図面の簡単な説明】
【０００８】
【図１】内袋
【図２】外袋
【図３】外袋に内袋をセットし、外袋の手前の最大面を開けた状態
【図４】大きさの異なるポーチの収納例：ＬとＳ
【図５】大きさの異なるポーチの収納例：ＬとＳとＳＳ
【図６】大きさの異なるポーチの収納例：ＬとＳＳ
【符号の説明】
【０００９】
（ａ）：ファスナー
（ｂ）：内袋のメッシュ生地
（ｃ）：取っ手
（ｄ）：外袋の内面に配置した消臭抗菌生地
【図１】
0003208888.tif 000003
【図２】
0003208888.tif 000004
【図３】
0003208888.tif 000005
【図４】
0003208888.tif 000006
【図５】
0003208888.tif 000007
【図６】
0003208888.tif 000008